(57)【要約】  【課題】硬貨通路29に送り込まれた小径硬貨が、金種別硬貨分岐部40a〜40fで詰まったり誤って分岐してしまうのを防止できる硬貨処理装置を提供する。  【解決手段】貯留繰出部18に貯留した硬貨を１枚ずつ硬貨通路29に繰り出す。硬貨通路29に送り込まれた硬貨を搬送しながら硬貨識別部38で識別する。硬貨識別部38での識別には、処理対象硬貨より小径な小径硬貨の識別を含む。硬貨通路29には、硬貨識別部38より下流域に、オーバーフロー硬貨の分岐と兼用して小径硬貨を分岐するオーバーフロー硬貨分岐部39、正規硬貨を金種別に分岐する金種別硬貨分岐部40a〜40fを順に設ける。硬貨通路29に送り込まれて硬貨識別部38で識別された小径硬貨を、金種別硬貨分岐部40a〜40fより上流域のオーバーフロー硬貨分岐部39で分岐する。  【選択図】図１
2006209346.tif 000002
【特許請求の範囲】
【請求項１】
硬貨を貯留して１枚ずつ繰り出す貯留繰出部と、
この貯留繰出部から１枚ずつ繰り出される硬貨を搬送する硬貨通路と、
この硬貨通路に設けられ、処理対象硬貨より小径な小径硬貨の識別を含み、硬貨を識別する硬貨識別部と、
前記硬貨通路の硬貨識別部より下流域に設けられ、正規硬貨を金種別に分岐する金種別硬貨分岐部と、
前記硬貨通路の硬貨識別部と金種別硬貨分岐部との間に設けられ、小径硬貨を分岐する小径硬貨分岐部と
を具備していることを特徴とする硬貨処理装置。
【請求項２】
小径硬貨分岐部で分岐された小径硬貨を受け入れて一時保留し、貯留繰出部からの硬貨の繰り出しが完了した後に一時保留した小径硬貨を貯留繰出部へ送り込む搬送コンベヤと、
前記貯留繰出部に送り込まれた小径硬貨を貯留繰出部から放出させる放出手段と、
この放出手段で貯留繰出部から放出された小径硬貨を装置外部へ排出する排出手段と
を具備していることを特徴とする請求項１記載の硬貨処理装置。
【請求項３】
硬貨を受け入れるとともに放出可能とする硬貨受部と、
この硬貨受部から放出される硬貨を貯留して１枚ずつ繰り出す貯留繰出部と、
この貯留繰出部から前記硬貨受部にわたって設けられ、貯留繰出部から１枚ずつ繰り出される硬貨を搬送する硬貨通路と、
この硬貨通路に設けられ、処理対象硬貨より小径な小径硬貨の識別を含み、硬貨を識別する硬貨識別部と、
前記硬貨通路の硬貨識別部より下流域に設けられ、正規硬貨を金種別に分岐する金種別硬貨分岐部と、
この金種別硬貨分岐部で金種別に分岐された硬貨を一時保留する金種別硬貨一時保留部と、
この金種別硬貨一時保留部に一時保留された硬貨を収納する金種別硬貨収納部と、
前記硬貨通路の硬貨識別部と金種別硬貨分岐部との間に設けられ、前記金種別硬貨一時保留部に送り込まない入金時のオーバーフロー硬貨とともに小径硬貨を分岐するオーバーフロー硬貨分岐部と、
このオーバーフロー硬貨分岐部で分岐されたオーバーフロー硬貨および小径硬貨を受け入れて一時保留し、これら一時保留したオーバーフロー硬貨および小径硬貨を貯留繰出部へ送り込み可能とする搬送コンベヤと、
前記貯留繰出部内から小径硬貨を放出させる放出手段と、
この放出手段で貯留繰出部から放出された小径硬貨を装置外部へ排出する排出手段と、
前記搬送コンベヤにオーバーフロー硬貨および小径硬貨を一時保留した場合、これら硬貨を搬送コンベヤで貯留繰出部に送り込み、オーバーフロー硬貨は貯留繰出部から硬貨通路を通じて硬貨受部に搬送し、小径硬貨は貯留繰出部から硬貨通路のオーバーフロー硬貨分岐部で分岐して搬送コンベヤに一時保留するとともに貯留繰出部からの硬貨の繰り出しが完了した後に一時保留した小径硬貨を貯留繰出部へ送り込んで放出手段および排出手段で装置外部へ排出させる制御部と
を具備していることを特徴とする硬貨処理装置。
【請求項４】
制御部は、リジェクト硬貨を硬貨通路から硬貨受部に搬送して一時保留するとともに、搬送コンベヤにオーバーフロー硬貨および小径硬貨を一時保留した場合、搬送コンベヤに一時保留した硬貨を貯留繰出部に送り込み、オーバーフロー硬貨は貯留繰出部から硬貨通路を通じて硬貨受部に搬送し、小径硬貨は貯留繰出部から硬貨通路のオーバーフロー硬貨分岐部で分岐して搬送コンベヤに一時保留するとともに貯留繰出部からの硬貨の繰り出しが完了した後に一時保留した小径硬貨を貯留繰出部へ送り込んで放出手段および排出手段で装置外部へ排出させ、硬貨受部で一緒になったリジェクト硬貨およびオーバーフロー硬貨を貯留繰出部に放出し、リジェクト硬貨は貯留繰出部から硬貨通路を通じて硬貨受部に搬送して一時保留し、オーバーフロー硬貨は貯留繰出部から硬貨通路のオーバーフロー硬貨分岐部で分岐して搬送コンベヤに一時保留させる
ことを特徴とする請求項３記載の硬貨処理装置。
【請求項５】
小径硬貨の直径は、処理対象とする最小径硬貨の直径の９割以下の寸法とする
ことを特徴とする請求項１ないし４いずれか記載の硬貨処理装置。
【発明の詳細な説明】
【技術分野】
【０００１】
本発明は、硬貨通路に送り込まれる硬貨を搬送しながら識別し、金種別に分岐する硬貨処理装置に関する。
【背景技術】
【０００２】
従来、例えば循環式硬貨入出金機では、入金時において、硬貨受部に投入された入金硬貨を貯留繰出部に放出し、この貯留繰出部に放出された硬貨を硬貨通路に１枚ずつ繰り出し、この硬貨通路に送り込まれた硬貨を搬送しながら硬貨識別部で識別し、正規硬貨は硬貨通路の硬貨識別部より下流域に設けられた金種別硬貨分岐部で金種別に分岐して金種別硬貨一時保留部に一時保留し、金種別硬貨一時保留部や金種別硬貨収納投出部が満杯の金種で金種別硬貨一時保留部に送り込まれないオーバーフロー硬貨は硬貨通路の金種別硬貨分岐部より下流域に設けられたオーバーフロー硬貨一時保留用分岐部で分岐して搬送コンベヤに一時保留し、正規硬貨およびオーバーフロー硬貨以外のリジェクト硬貨は硬貨通路の末端まで搬送して硬貨受部に送り込んで返却する。そして、入金硬貨の識別完了後の入金承認時には、金種別硬貨一時保留部の一時保留硬貨を金種別硬貨収納投出部に送り込んで収納し、オーバーフロー硬貨を搬送コンベヤから貯留繰出部、硬貨通路のオーバーフロー硬貨収納用分岐部で分岐してオーバーフロー硬貨収納部に収納する。
【０００３】
一方、出金時において、金種別硬貨収納投出部から出金に必要な硬貨を搬送コンベヤに投出し、搬送コンベヤから貯留繰出部、硬貨通路を通じて硬貨受部に送り出している。
【０００４】
また、入金時において、貯留繰出部から繰り出すことができないクリップなどの異物を検知した場合、貯留繰出部のホッパの下部を開放して異物を下方へ排出し、この異物を別の搬送コンベヤで硬貨受部に返却するか、異物回収箱に回収している（例えば、特許文献１参照。）。
【特許文献１】特開平１０−２２８５５３号公報（第９−１１頁、図１）
【発明の開示】
【発明が解決しようとする課題】
【０００５】
ところで、例えば外国硬貨などの処理対象硬貨より小径な小径硬貨が入金硬貨と一緒に投入された場合、貯留繰出部から繰り出されなければ異物として返却されるが、貯留繰出部から硬貨通路に繰り出された場合、硬貨識別部でリジェクト硬貨と識別し、この小径硬貨を硬貨通路の末端まで搬送して硬貨受部に送り出し、返却することになる。
【０００６】
しかしながら、硬貨通路に送り込まれた小径硬貨を硬貨通路の末端まで搬送するため、小径硬貨の搬送距離が長く、金種別硬貨分岐部を含む複数の分岐部を通過させることになり、金種別硬貨分岐部などで小径硬貨が詰まったり、誤って金種別硬貨分岐部などで分岐してしまう問題がある。
【０００７】
本発明は、このような点に鑑みなされたもので、硬貨通路に送り込まれた小径硬貨が金種別硬貨分岐部で詰まったり誤って分岐してしまうのを確実に防止できる硬貨処理装置を提供することを目的とする。
【課題を解決するための手段】
【０００８】
請求項１記載の硬貨処理装置は、硬貨を貯留して１枚ずつ繰り出す貯留繰出部と、この貯留繰出部から１枚ずつ繰り出される硬貨を搬送する硬貨通路と、この硬貨通路に設けられ、処理対象硬貨より小径な小径硬貨の識別を含み、硬貨を識別する硬貨識別部と、前記硬貨通路の硬貨識別部より下流域に設けられ、正規硬貨を金種別に分岐する金種別硬貨分岐部と、前記硬貨通路の硬貨識別部と金種別硬貨分岐部との間に設けられ、小径硬貨を分岐する小径硬貨分岐部とを具備しているものである。
【０００９】
そして、硬貨通路に送り込まれて硬貨識別部で識別された小径硬貨を、金種別硬貨分岐部より上流域の小径硬貨分岐部で分岐することにより、小径硬貨が金種別硬貨分岐部で詰まったり誤って分岐されてしまうのが防止される。
【００１０】
請求項２記載の硬貨処理装置は、請求項１記載の硬貨処理装置において、小径硬貨分岐部で分岐された小径硬貨を受け入れて一時保留し、貯留繰出部からの硬貨の繰り出しが完了した後に一時保留した小径硬貨を貯留繰出部へ送り込む搬送コンベヤと、前記貯留繰出部に送り込まれた小径硬貨を貯留繰出部から放出させる放出手段と、この放出手段で貯留繰出部から放出された小径硬貨を装置外部へ排出する排出手段とを具備しているものである。
【００１１】
そして、小径硬貨分岐部で分岐した小径硬貨を搬送コンベヤに一時保留し、貯留繰出部からの硬貨の繰り出しが完了した後に、搬送コンベヤに一時保留した小径硬貨を貯留繰出部へ送り込んで貯留繰出部の放出手段および排出手段を通じて装置外部へ排出できる。
【００１２】
請求項３記載の硬貨処理装置は、硬貨を受け入れるとともに放出可能とする硬貨受部と、この硬貨受部から放出される硬貨を貯留して１枚ずつ繰り出す貯留繰出部と、この貯留繰出部から前記硬貨受部にわたって設けられ、貯留繰出部から１枚ずつ繰り出される硬貨を搬送する硬貨通路と、この硬貨通路に設けられ、処理対象硬貨より小径な小径硬貨の識別を含み、硬貨を識別する硬貨識別部と、前記硬貨通路の硬貨識別部より下流域に設けられ、正規硬貨を金種別に分岐する金種別硬貨分岐部と、この金種別硬貨分岐部で金種別に分岐された硬貨を一時保留する金種別硬貨一時保留部と、この金種別硬貨一時保留部に一時保留された硬貨を収納する金種別硬貨収納部と、前記硬貨通路の硬貨識別部と金種別硬貨分岐部との間に設けられ、前記金種別硬貨一時保留部に送り込まない入金時のオーバーフロー硬貨とともに小径硬貨を分岐するオーバーフロー硬貨分岐部と、このオーバーフロー硬貨分岐部で分岐されたオーバーフロー硬貨および小径硬貨を受け入れて一時保留し、これら一時保留したオーバーフロー硬貨および小径硬貨を貯留繰出部へ送り込み可能とする搬送コンベヤと、前記貯留繰出部内から小径硬貨を放出させる放出手段と、この放出手段で貯留繰出部から放出された小径硬貨を装置外部へ排出する排出手段と、前記搬送コンベヤにオーバーフロー硬貨および小径硬貨を一時保留した場合、これら硬貨を搬送コンベヤで貯留繰出部に送り込み、オーバーフロー硬貨は貯留繰出部から硬貨通路を通じて硬貨受部に搬送し、小径硬貨は貯留繰出部から硬貨通路のオーバーフロー硬貨分岐部で分岐して搬送コンベヤに一時保留するとともに貯留繰出部からの硬貨の繰り出しが完了した後に一時保留した小径硬貨を貯留繰出部へ送り込んで放出手段および排出手段で装置外部へ排出させる制御部とを具備しているものである。
【００１３】
そして、硬貨通路に送り込まれて硬貨識別部で識別された小径硬貨を、金種別硬貨分岐部より上流域のオーバーフロー硬貨分岐部で分岐することにより、小径硬貨が金種別硬貨分岐部で詰まったり誤って分岐されてしまうのが防止される。さらに、搬送コンベヤにオーバーフロー硬貨および小径硬貨を一時保留した場合、これら硬貨を搬送コンベヤで貯留繰出部に送り込み、オーバーフロー硬貨は貯留繰出部から硬貨通路を通じて硬貨受部に搬送し、小径硬貨は貯留繰出部から硬貨通路のオーバーフロー硬貨分岐部で分岐して搬送コンベヤに一時保留するとともに貯留繰出部からの硬貨の繰り出しが完了した後に一時保留した小径硬貨を貯留繰出部へ送り込んで放出手段および排出手段で装置外部へ排出することにより、小径硬貨の分岐にオーバーフロー硬貨分岐部が兼用され、小径硬貨とオーバーフロー硬貨とが分離されて処理される。
【００１４】
請求項４記載の硬貨処理装置は、請求項３記載の硬貨処理装置において、制御部は、リジェクト硬貨を硬貨通路から硬貨受部に搬送して一時保留するとともに、搬送コンベヤにオーバーフロー硬貨および小径硬貨を一時保留した場合、搬送コンベヤに一時保留した硬貨を貯留繰出部に送り込み、オーバーフロー硬貨は貯留繰出部から硬貨通路を通じて硬貨受部に搬送し、小径硬貨は貯留繰出部から硬貨通路のオーバーフロー硬貨分岐部で分岐して搬送コンベヤに一時保留するとともに貯留繰出部からの硬貨の繰り出しが完了した後に一時保留した小径硬貨を貯留繰出部へ送り込んで放出手段および排出手段で装置外部へ排出させ、硬貨受部で一緒になったリジェクト硬貨およびオーバーフロー硬貨を貯留繰出部に放出し、リジェクト硬貨は貯留繰出部から硬貨通路を通じて硬貨受部に搬送して一時保留し、オーバーフロー硬貨は貯留繰出部から硬貨通路のオーバーフロー硬貨分岐部で分岐して搬送コンベヤに一時保留させるものである。
【００１５】
そして、リジェクト硬貨を硬貨通路から硬貨受部に搬送して一時保留するとともに、搬送コンベヤにオーバーフロー硬貨および小径硬貨を一時保留した場合、搬送コンベヤに一時保留した硬貨を貯留繰出部に送り込み、オーバーフロー硬貨は貯留繰出部から硬貨通路を通じて硬貨受部に搬送し、小径硬貨は貯留繰出部から硬貨通路のオーバーフロー硬貨分岐部で分岐して搬送コンベヤに一時保留するとともに貯留繰出部からの硬貨の繰り出しが完了した後に一時保留した小径硬貨を貯留繰出部へ送り込んで放出手段および排出手段で装置外部へ排出させ、硬貨受部で一緒になったリジェクト硬貨およびオーバーフロー硬貨を貯留繰出部に放出し、リジェクト硬貨は貯留繰出部から硬貨通路を通じて硬貨受部に搬送して一時保留し、オーバーフロー硬貨は貯留繰出部から硬貨通路のオーバーフロー硬貨分岐部で分岐して搬送コンベヤに一時保留させることにより、小径硬貨とオーバーフロー硬貨とリジェクト硬貨とが分離されて処理される。
【００１６】
請求項５記載の硬貨処理装置は、請求項１ないし４いずれか記載の硬貨処理装置において、小径硬貨の直径は、処理対象とする最小径硬貨の直径の９割以下の寸法とするものである。
【００１７】
そして、小径硬貨の直径の基準を処理対象とする最小径硬貨の直径の９割以下の寸法とすることにより、硬貨通路での搬送や各分岐部の通過に適さない小径硬貨が硬貨通路から分岐され、硬貨通路での不具合の発生が防止される。
【発明の効果】
【００１８】
請求項１記載の硬貨処理装置によれば、硬貨通路に送り込まれて硬貨識別部で識別された小径硬貨を、金種別硬貨分岐部の上流域の小径硬貨分岐部で分岐するので、小径硬貨が金種別硬貨分岐部で詰まったり、小径硬貨が金種別硬貨分岐部で誤って分岐されてしまうのを確実に防止できる。
【００１９】
請求項２記載の硬貨処理装置によれば、請求項１記載の硬貨処理装置の効果に加えて、小径硬貨分岐部で分岐した小径硬貨を搬送コンベヤに一時保留し、貯留繰出部からの硬貨の繰り出しが完了した後に一時保留した小径硬貨を貯留繰出部へ送り込んで貯留繰出部の放出手段および排出手段を通じて装置外部へ確実に排出できる。
【００２０】
請求項３記載の硬貨処理装置によれば、硬貨通路に送り込まれて硬貨識別部で識別された小径硬貨を、金種別硬貨分岐部より上流域のオーバーフロー硬貨分岐部で分岐するので、小径硬貨が金種別硬貨分岐部で詰まったり、小径硬貨が金種別硬貨分岐部で誤って分岐されてしまうのを確実に防止できる。さらに、搬送コンベヤにオーバーフロー硬貨および小径硬貨を一時保留した場合、これら硬貨を搬送コンベヤで貯留繰出部に送り込み、オーバーフロー硬貨は貯留繰出部から硬貨通路を通じて硬貨受部に搬送し、小径硬貨は貯留繰出部から硬貨通路のオーバーフロー硬貨分岐部で分岐して搬送コンベヤに一時保留するとともに貯留繰出部からの硬貨の繰り出しが完了した後に一時保留した小径硬貨を貯留繰出部へ送り込んで放出手段および排出手段で装置外部へ排出でき、そのため、小径硬貨の分岐にオーバーフロー硬貨分岐部を兼用でき、小径硬貨とオーバーフロー硬貨とを分離して処理できる。
【００２１】
請求項４記載の硬貨処理装置によれば、請求項３記載の硬貨処理装置の効果に加えて、リジェクト硬貨を硬貨通路から硬貨受部に搬送して一時保留するとともに、搬送コンベヤにオーバーフロー硬貨および小径硬貨を一時保留した場合、搬送コンベヤに一時保留した硬貨を貯留繰出部に送り込み、オーバーフロー硬貨およびリジェクト硬貨は貯留繰出部から硬貨通路を通じて硬貨受部に搬送し、小径硬貨は貯留繰出部から硬貨通路のオーバーフロー硬貨分岐部で分岐して搬送コンベヤに一時保留するとともに貯留繰出部からの硬貨の繰り出しが完了した後に一時保留した小径硬貨を貯留繰出部へ送り込んで放出手段および排出手段で装置外部へ排出させ、硬貨受部の硬貨を貯留繰出部に放出し、リジェクト硬貨は貯留繰出部から硬貨通路を通じて硬貨受部に搬送して一時保留し、オーバーフロー硬貨は貯留繰出部から硬貨通路のオーバーフロー硬貨分岐部で分岐して搬送コンベヤに一時保留させることができ、小径硬貨とオーバーフロー硬貨とリジェクト硬貨とを分離して処理できる。
【００２２】
請求項５記載の硬貨処理装置によれば、請求項１ないし４いずれか記載の硬貨処理装置の効果に加えて、小径硬貨の直径の基準を処理対象とする最小径硬貨の直径の９割以下の寸法とするので、硬貨通路での搬送や各分岐部の通過に適さない小径硬貨を硬貨通路から分岐させ、硬貨通路での不具合の発生を確実に防止できる。
【発明を実施するための最良の形態】
【００２３】
以下、本発明の一実施の形態を図面を参照して説明する。
【００２４】
図１および図２において、11は硬貨処理装置としての循環式硬貨入出金機の機体で、この機体11の顧客が操作する前面（操作面）11aの上部域に入金口と出金口とを兼ねて入出金口シャッタ12で開閉される入出金口13が形成され、この入出金口13の内側に硬貨を受け入れる硬貨受部14が配設されている。この硬貨受部14には、上面を開口した受皿15が配置され、この受皿15に硬貨を受け入れるとともに受皿15の回動によって受け入れた硬貨を下方のシュート16に放出可能としている。硬貨受部14には、受皿15内の硬貨の有無を検知する図示しないセンサが配設されている。
【００２５】
機体11の前側下部にはシュート16を通じて硬貨受部14から放出される硬貨を受け入れる貯留繰出部18が配設されている。この貯留繰出部18は、鉛直方向に対して上側が機体11の左側面方向（図２の右側）へ所定角度傾いて軸支された傾斜円盤19、およびこの傾斜円盤19の表面側に配設されたホッパ20を有し、これら傾斜円盤19とホッパ20との間に送り込まれる硬貨を貯留する。
【００２６】
傾斜円盤19の表面周縁近傍には硬貨を掻き上げるための図示しない複数の突起が一定間隔で突設されており、傾斜円盤19の回転によりホッパ20内の硬貨を各突起で１枚ずつ掻き上げながら傾斜円盤19の上部から１枚ずつ繰り出す。
【００２７】
ホッパ20には、傾斜円盤19によってホッパ20内から繰り出されずに残留する異物や別途送り込まれる処理対象硬貨より小径な小径硬貨を排出するために、ホッパ20の底部を開閉する放出手段としての開閉部21が開閉可能に配設されている。この開閉部21の下方には開閉部21の開放によって放出される異物を受け入れる異物用シュート22が配設されている。この異物用シュート22には、ホッパ20から放出される異物を２方向に振り分ける振分部23と各方向に振り分けられた異物をそれぞれ受け入れる排出手段としてのシュート部24とシュート部25とが設けられており、一方のシュート部24は機体11の前面下部に開口形成された異物返却口26に異物や小径硬貨を送り込み、他方のシュート部25は機体11内に着脱可能に配置された異物回収箱27に異物を送り込む。
【００２８】
また、傾斜円盤19の上部には、貯留繰出部18から１枚ずつ繰り出される硬貨を受け入れて搬送方向に１枚ずつ間隔をあけた分離状態で搬送する硬貨通路29の始端部が接続されている。この硬貨通路29は、貯留繰出部18の上部から機体11の背部方向へ向けて形成される第１の通路部30、この第１の通路部30の末端から上方に円弧状に折り返して機体11の前方へ向けて方向変換して形成される折返し通路部31、この折返し通路部31の上側末端から硬貨受部14の近傍位置まで形成される第２の通路部32を有しており、略Ｕ字形の通路形状に形成されている。
【００２９】
第１の通路部30には、貯留繰出部18の上部から機体11の背部側へ向かうに従い上昇傾斜する通路域30a、この通路域30aの末端から機体11の背部側へ向かうに従い通路域30aよりも緩やかな角度で上昇傾斜する通路域30bが形成されている。第２の通路部32には、第１の通路部30の通路域30bの末端側上方に平行に配置されて機体11の前側へ向かうに従い下降傾斜する通路域32aが形成されている。
【００３０】
硬貨通路29は、図３および図４に示すように、傾斜円盤19と同じ傾斜状態であって、硬貨を鉛直方向に対して上側が機体11の左側面方向（図２の右側、図３左側）へ所定角度傾いた傾斜状態で搬送する通路板33を有し、この通路板33の下縁には搬送する硬貨の周縁下部を支持する案内縁34a，34bが形成されている。
【００３１】
硬貨通路29上には、貯留繰出部18から１枚ずつ繰り出される硬貨を搬送方向に１枚ずつ間隔をあけた分離状態で搬送する搬送手段としての搬送ベルト35が配設されている。この搬送ベルト35は、無端状に設けられ、図示しない複数のプーリによって各通路部30〜32に沿って懸架されており、硬貨を通路板33に押し付けながら搬送する。搬送ベルト35には硬貨を搬送方向に１枚ずつ間隔をあけた分離状態で搬送する突起36が通路板33に対向する面に所定間隔毎に突設されている。
【００３２】
図１に示すように、硬貨通路29の第１の通路部30の通路域30aには、搬送する硬貨の適正、不適正、金種、処理対象とする最小径硬貨より小径な小径硬貨などを識別する材質センサ、径センサやイメージセンサなどにて構成される硬貨識別部38が配設されている。小径硬貨の識別は、主に径センサの上方により識別し、小径硬貨の直径の基準は、処理対象とする最小径未満とすればよいが、好ましくは最小径硬貨の直径の９割以下の寸法とする。
【００３３】
硬貨通路29の第１の通路部30の通路域30bには、上流側から順に、硬貨入金時のオーバーフロー硬貨を分岐するとともに小径硬貨を分岐する小径硬貨分岐部としてのオーバーフロー硬貨分岐部39、硬貨入金時や硬貨補充時の正規硬貨を金種別に分岐する金種別硬貨分岐部40a〜40f（図には40aおよび40fのみを示す）、硬貨補充時のオーバーフロー硬貨である補充環流硬貨を分岐する補充環流硬貨分岐部41が配設されている。
【００３４】
硬貨通路29の第２の通路部32の通路域32aには、上流側から順に、回収硬貨、取忘れ硬貨、運用リジェクト硬貨、補充リジェクト硬貨のうち、第１グループとして回収硬貨および取忘れ硬貨を分岐する第１分岐部42、第２グループとして運用リジェクト硬貨および回収リジェクト硬貨を分岐する第２分岐部43が配設されている。
【００３５】
そして、金種別硬貨分岐部40a〜40fが金種別硬貨分岐部群40として構成され、また、補充環流硬貨分岐部41、第１分岐部42および第２分岐部43が非金種別硬貨分岐部群44として構成されている。
【００３６】
各分岐部39，40a〜40f，42，43は、略共通に構成されており、例えば図４に金種別硬貨分岐部40a〜40fの一部を示すように、通路板33に分岐孔45がそれぞれ開口形成されるとともに、これら分岐孔45を開閉する分岐部材46がそれぞれ配設されている。各分岐部材46は、硬貨通路29の上流側が開閉するように通路板33に回動自在に軸支されているとともに図示しないモータなどの駆動部にて開閉駆動される。各分岐部材46には、開口時に搬送ベルト35との干渉を避ける切欠部47が形成されている。
【００３７】
通路板33の各分岐部39，40a〜40f，42，43の上流側および下流側に、硬貨通路29内を搬送する硬貨を検知する図示しない硬貨検知センサが配設されている。そして、各分岐部39，40a〜40f，42，43の各分岐部材46は、硬貨識別部38での識別結果と硬貨検知センサとの両条件にて開放駆動され、該当硬貨のみを各種類別分岐部39，40a〜40f，42，43から分岐し、該当硬貨以外の硬貨を硬貨通路29の下流側へ通過させる。
【００３８】
また、図１に示すように、オーバーフロー硬貨分岐部39には、このオーバーフロー硬貨分岐部39で分岐されたオーバーフロー硬貨を受け入れて下方へ案内するオーバーフロー硬貨用シュート49が接続されている。図３および図４に示すように、各金種別硬貨分岐部40a〜40fには、各金種別硬貨分岐部40a〜40fで分岐された硬貨を受け入れて下方へ案内する金種別シュート50a〜50f（図には50aおよび50fのみを示す）が接続されている。
【００３９】
図１、図２および図５に示すように、補充環流硬貨分岐部41には、この補充環流硬貨分岐部41で分岐された補充環流硬貨を受け入れて下方へ案内する補充環流硬貨用シュート51が接続されている。第１分岐部42および第２分岐部43には、第１分岐部42および第２分岐部43で分岐された硬貨を受け入れて下方へ案内する第１の振分シュート52および第２の振分シュート53が接続されている。
【００４０】
第１の振分シュート52は、第１分岐部42で分岐された硬貨を２方向に振り分ける振分部54、この振分部54の下流の２個のシュート部として回収硬貨用シュート55および取忘れ硬貨用シュート56を有している。
【００４１】
第２の振分シュート53は、第２分岐部43で分岐された硬貨を２方向に振り分ける振分部57、この振分部57の下流の２個のシュート部として運用リジェクト硬貨用シュート58および補充リジェクト硬貨用シュート59を有している。
【００４２】
また、図１ないし図３に示すように、機体11内には、金種別硬貨分岐部40a〜40fの金種別シュート50a〜50fの下方に金種別硬貨一時保留部61a〜61f（図には61aおよび61fのみを示す）が配設され、この金種別硬貨一時保留部61a〜61fの下方に金種別硬貨収納投出部62a〜62f（図には62aおよび62fのみを示す）で構成される金種別硬貨収納投出部群62が配設され、この金種別硬貨収納投出部群62に対する機体幅方向一側域である右側域の底部に搬送コンベヤ63が配設され、機体の背部位置で各シュート51，55，56，58，59の下方に硬貨カセットユニット64が配置されている。
【００４３】
金種別硬貨一時保留部61a〜61fは、硬貨入金時に金種別硬貨分岐部40a〜40fで分岐されて金種別シュート50a〜50fで導かれる硬貨を受け入れるとともに所定枚数の硬貨を上下方向に重積して一時保留するもので、金種別に硬貨を上下方向に重積する筒状の開口を有する保留枠67、およびこの保留枠67の下面を開閉する投出板68などで構成されている。保留枠67は、図示しない駆動機構により、投出板68で下面開口が閉塞されていて金種別シュート50a〜50fから硬貨を受け入れるとともに重積状態で一時保留可能とする一時保留位置である定位置と、この定位置から機体幅方向一側である右側面側（図３の右側）の搬送コンベヤ63上に移動して投出板68に対して相対的に開放される下面開口から一時保留硬貨を放出する返却位置との間で移動する。
【００４４】
また、金種別硬貨収納投出部62a〜62fは、機体11内に着脱可能に装着される金種別の収納筒部71を有し、この収納筒部71の上方から硬貨の収納および投出を可能としている。収納筒部71の上方には投出板68が配設され、この投出板68は、図示しない駆動機構により、収納筒部71の上方の前進位置と、この前進位置より機体幅方向他側の左側面側（図３の左側）の後退位置との間で往復移動する。そして、投出板68が定位置にあるとき保留枠67の下面開口を閉塞して硬貨の一時保留を可能とし、この保留枠67に一時保留した硬貨の収納時に投出板68が後退位置に移動し、保留枠67内の硬貨を収納筒部71に収納させ、また、保留枠67が返却位置に移動した状態で、かつ収納筒部71内の硬貨を上昇させて最上位硬貨を保留枠67の下面で受け止めた状態において、投出板68の往復移動により、収納筒部71の最上位の硬貨から順に投出可能としている。
【００４５】
各収納筒部71内には重積硬貨を支承する支承部材72がそれぞれ上下動可能に配置され、これら各支承部材72が各収納筒部71に上下方向に形成された案内溝73を通じて収納筒部71に対し機体11の左側面側（図３の左側）に配置された駆動機構74に着脱可能に連結され、この駆動機構74によって各支承部材72がそれぞれ独立して上下動する。そして、収納筒部71内からの硬貨の投出時に支承部材72が上昇して最上位の硬貨を保留枠67の下面に押し付けるとともに、収納筒部71内への硬貨の収納時に支承部材72が下降して硬貨を収納可能としている。
【００４６】
なお、保留枠67の硬貨を収納筒部71へ収納させる場合は、支承部材72が上昇して支承部材72上の重積硬貨上面を投出板68の下面近傍に位置させ、次に投出板68の退避により一時保留硬貨が重積状収納硬貨の上に載り、支承部材72の下降で重積硬貨上面が投出板68の下部近傍へ下降されて停止され、次に投出板68が閉じられて一時保留硬貨の収納が終わる。
【００４７】
また、搬送コンベヤ63は、金種別硬貨収納投出部群62の右側面域（図３の右側）に沿って機体11の底部に略水平状に配置される受収コンベヤ域77、この受収コンベヤ域77の前端から前方へ向けて上昇傾斜して貯留繰出部18に接続される送出コンベヤ域78を有し、受収コンベヤ域77に受収した硬貨を貯留繰出部18に順次送り込み可能としている。これらコンベヤ域77，78上の両側には受収ガイド部材79が配設されるとともに受収コンベヤ域77の後端側にシュートである受収ガイド部材80が配設され、受収コンベヤ域77上の受収ガイド部材79，80で囲まれた空間に硬貨を受収する硬貨受収部81が形成されている。
【００４８】
受収コンベヤ域77上の硬貨受収部81には、硬貨入金時にオーバーフロー硬貨分岐部39で分岐されてオーバーフロー硬貨用シュート49で導かれるオーバーフロー硬貨および小径硬貨、硬貨入金時における入金非承認時に金種別硬貨一時保留部61a〜61fから放出される返却硬貨、硬貨出金時に金種別硬貨収納投出部群62から投出される硬貨、硬貨カセットユニット64が備える補充環流硬貨収納部94から放出される硬貨を受収する。
【００４９】
搬送コンベヤ63は、無端状のベルト82を有し、このベルト82が複数のプーリ83に懸架されて各コンベヤ域77，78が形成されている。図３に示すように、ベルト82は、無端状の平ベルトで構成され、その幅は処理する最大径硬貨の直径より広い幅でかつ最小径硬貨が径方向に２枚入らない幅に形成されており、ベルト82の表面にはその搬送方向に沿って処理する最大径の硬貨の直径より広く最小径硬貨が径方向に２枚入らない所定のピッチ毎でかつベルト幅方向に複数個ずつ並んで図示しない複数の突起が形成されている。そして、ベルト82の回転駆動により、受収コンベヤ域77に受収した硬貨を突起に引っ掛けて貯留繰出部18に順次搬送する。
【００５０】
また、図１、図２、図６（図６に示す硬貨カセットユニット64の左側が前面、右側が背面、上側が左側面、下側が右側面である）に示すように、硬貨カセットユニット64は、機体11の背部位置のカセット装着部91に対して、機体11の底部から背部側に引き出されるカセット搭載台92によって着脱可能に装着されている。すなわち、機体11の背部側から引き出したカセット搭載台92に対して硬貨カセットユニット64が上方から着脱可能とされ、硬貨カセットユニット64が搭載されたカセット搭載台92を機体11内に押し込むことにより硬貨カセットユニット64が機体11のカセット装着部91に装着される。
【００５１】
この硬貨カセットユニット64は、運搬可能な縦長箱状のカセット本体93を有し、このカセット本体93内には、補充環流硬貨用シュート51の下方に臨む上面に受収口94aを有する補充環流硬貨収納部94、回収硬貨用シュート55の下方に臨む上面に受収口95aを有する回収硬貨収納部95、取忘れ硬貨用シュート56の下方に臨む上面に受収口96aを有する取忘れ硬貨収納部96、運用リジェクト硬貨用シュート58の下方に臨む上面に受収口97aを有する運用リジェクト硬貨収納部97、補充リジェクト硬貨用シュート59の下方に臨む上面に受収口98aを有する補充リジェクト硬貨収納部98が配置されている。
【００５２】
このカセット本体93の上面には、各受収口94a〜98aを一体に開閉する図示しない受収口シャッタがカセット本体93内で開閉可能に配設されている。この受収口シャッタは、硬貨カセットユニット64を機体11の背部側からカセット装着部91内に装着することにより機体11内に配置された図示しないシャッタ開放部によって自動的にロックが解除されて開放され、硬貨カセットユニット64を機体11内のカセット装着部91から背部側へ引き出すことにより自動的に閉塞されてロックされる。
【００５３】
また、補充環流硬貨収納部94の内部は、受収口94aから受収する硬貨を収納する収納空間部94bを有し、この収納空間部94bの前面下部には収納空間部94b内の硬貨を機体11内の搬送コンベヤ63に放出する放出口94cが形成され、収納空間部94bの底部には硬貨を自重で放出口94cから放出させるシュート状の傾斜底面94dが形成されている。傾斜底面94dは、放出口94cへ向けて下降傾斜するとともに傾斜方向と交差する方向の断面が円弧状に形成され、収納空間部94b内の硬貨が傾斜底面に貼り付くのを防止して確実に放出可能としている。
【００５４】
放出口94cには、この放出口94cを開閉する放出口シャッタ101が上下方向に開閉可能に配設されている。また、カセット装着部91には、補充環流硬貨収納部94の放出口94cが臨む受入口102が形成され、この受入口102を開閉する受入口シャッタ103が上下方向に開閉可能に配設されている。そして、硬貨カセットユニット64を機体11の背部側からカセット装着部91内に装着することにより放出口シャッタ101と受入口シャッタ103とが一体に連結され、機体11内に配設される図示しないシャッタ開閉機構によって一体に開閉駆動される。
【００５５】
また、図７に、制御部201によって循環式硬貨入出金機を制御する概略制御構成を示す。この制御部201は、上位機からの信号や、入金、出金、補充、回収の各処理の指令および各種モードの指令をする操作指令部202、入金、出金、補充、回収の各処理の指令状態の表示、金額などを表示する表示部203、貯留繰出部18内の硬貨の有無を検知する複数のセンサを含む貯留繰出部用センサ群204、硬貨識別部38、硬貨通路29で硬貨を検知する複数のセンサを含む硬貨通路用センサ群205、硬貨カセットユニット64の放出口シャッタ101の位置を検知する複数のセンサを含む放出口シャッタ用センサ群206などから信号を入力し、各モータM1〜M11を制御する。
【００５６】
モータM1は硬貨受部14の受皿15を駆動する。モータM2は貯留繰出部18の傾斜円盤19を回転駆動する。モータM3は硬貨通路29の搬送ベルト35を回転駆動する。モータM4は金種別硬貨一時保留部61a〜61fの保留枠67を駆動する。モータM5は投出板68を駆動する。モータM6-0〜M6-9はオーバーフロー硬貨分岐部39、金種別硬貨分岐部群40、第１分岐部42、第２分岐部43の分岐部材46を切換駆動する。モータM7-1，M7-2は各振分シュート52，53の各振分部54，57を切換駆動する。モータM8-1〜M8-6は駆動機構74の金種別の各支承部材72を昇降駆動する。モータM9は貯留繰出部18の開閉部21を開閉駆動する。モータM10は搬送コンベヤ63を回転駆動する。モータM11は硬貨カセットユニット64の放出口シャッタ101および受入口シャッタ103を開閉駆動する。
【００５７】
そして、制御部201は、次のような入金時において小径硬貨を検知した場合の処理機能を有している。
【００５８】
搬送コンベヤ63に小径硬貨のみを一時保留した場合、この小径硬貨を搬送コンベヤ63で貯留繰出部18に送り込み、貯留繰出部18の開閉部21の開放および振分部23で切り換えられたシュート部24により異物返却口26から装置外部へ排出させる機能。
【００５９】
搬送コンベヤ63にオーバーフロー硬貨および小径硬貨を一時保留した場合、これら硬貨を搬送コンベヤ63で貯留繰出部18に送り込み、オーバーフロー硬貨は貯留繰出部18から硬貨通路29を通じて硬貨受部14に搬送し、小径硬貨は貯留繰出部18から硬貨通路29のオーバーフロー硬貨分岐部39で分岐して搬送コンベヤ63に一時保留するとともに貯留繰出部18からの硬貨の繰り出しが完了した後に一時保留した小径硬貨を貯留繰出部18へ送り込み、貯留繰出部18の開閉部21の開放および振分部23で切り換えられたシュート部24により異物返却口26から装置外部へ排出させる機能。
【００６０】
リジェクト硬貨を硬貨通路29から硬貨受部14に搬送して一時保留するとともに、搬送コンベヤ63にオーバーフロー硬貨および小径硬貨を一時保留した場合、搬送コンベヤ63に一時保留した硬貨を貯留繰出部18に送り込み、オーバーフロー硬貨は貯留繰出部18から硬貨通路29を通じて硬貨受部14に搬送し、小径硬貨は貯留繰出部18から硬貨通路29のオーバーフロー硬貨分岐部39で分岐して搬送コンベヤ63に一時保留するとともに貯留繰出部18からの硬貨の繰り出しが完了した後に一時保留した小径硬貨を貯留繰出部18へ送り込み、貯留繰出部18の開閉部21の開放および振分部23で切り換えられたシュート部24により異物返却口26から装置外部へ排出させ、硬貨受部14で一緒になったリジェクト硬貨およびオーバーフロー硬貨を貯留繰出部18に放出し、リジェクト硬貨は貯留繰出部18から硬貨通路29を通じて硬貨受部14に搬送して一時保留し、オーバーフロー硬貨は貯留繰出部18から硬貨通路29のオーバーフロー硬貨分岐部39で分岐して搬送コンベヤ63に一時保留させる機能。
【００６１】
次に、本実施の形態の作用を説明する。
【００６２】
まず、初期補充処理について参照して説明する。
【００６３】
循環式硬貨入出金機の外部で初期補充硬貨を補充環流硬貨収納部94に収納した硬貨カセットユニット64を、循環式硬貨入出金機の機体11内のカセット装着部91に装着する。硬貨カセットユニット64の装着により、硬貨カセットユニット64の上面の受収口シャッタを開放し、放出口シャッタ101が受入口シャッタ103と係合して一体に開閉可能とする。
【００６４】
係員が操作指令部202で初期補充モードを指定し、スタートを指令することにより、貯留繰出部18、硬貨通路29および搬送コンベヤ63の駆動を開始し、モータM11の駆動によって放出口シャッタ101および受入口シャッタ103を一体に開放移動させ、放出口94cおよび受入口102を開放する。これにより、補充環流硬貨収納部94に収納していた初期補充硬貨を傾斜底面94dの傾斜によって自重で放出口94cから全量放出させ、受入口102を通じて、搬送コンベヤ63の受収コンベヤ域77上、つまり硬貨受収部81に全量受収させる。
【００６５】
補充環流硬貨収納部94に収納していた初期補充硬貨を全量放出したことを図示しないセンサで検知することにより、モータM11の駆動によって放出口シャッタ101および受入口シャッタ103を一体に閉鎖移動させ、放出口94cおよび受入口102を閉鎖する。これにより、補充環流硬貨収納部94に硬貨の受収が可能な状態とする。
【００６６】
搬送コンベヤ63のベルト82の回転駆動により、受収コンベヤ域77上の初期補充硬貨を送出コンベヤ域78を通じて貯留繰出部18に順次送り込む。貯留繰出部18では傾斜円盤19が回転し、搬送コンベヤ63から送り込まれた初期補充硬貨を１枚ずつ硬貨通路29に繰り出す。硬貨通路29では貯留繰出部18から繰り出される初期補充硬貨を受け入れて１枚ずつ間隔をあけた分離状態で搬送し、初期補充硬貨の搬送途上で硬貨識別部38により識別する。
【００６７】
硬貨識別部38での識別の結果、正規の初期補充硬貨は金種別硬貨分岐部40a〜40fで金種別に分岐し、金種別シュート50a〜50fおよび金種別硬貨一時保留部61a〜61fの保留枠67を通じて、金種別硬貨収納投出部62a〜62fの収納筒部71に収納する。金種別硬貨一時保留部61a〜61fの保留枠67は投出板68が後退位置（図３に示す位置より左方向に移動した位置）に移動して底面が開口された状態にあり、金種別シュート50a〜50fから保留枠67に送り込まれた初期補充硬貨を収納筒部71に直接収納する。このとき、収納筒部71内の重積硬貨の上面を収納筒部71の上端近傍に位置させておくことにより、初期補充硬貨の落下距離を少なくし、硬貨立ちなどが発生するのを防止できる。収納筒部71内に初期補充硬貨を１枚受け入れる度に支承部材72とともに重積硬貨を１枚分下降させ、次の初期補充硬貨の収納を許容する。
【００６８】
制御部201では硬貨識別部38での識別結果から金種別硬貨収納投出部62a〜62fに収納する初期補充硬貨の枚数をカウントし、カウント値が予め設定された満杯量に達した金種については、それ以降に硬貨識別部38で識別される正規の初期補充硬貨をオーバーフロー硬貨として取り扱う。この補充時のオーバーフロー硬貨は、該当する金種の金種別硬貨分岐部40a〜40fで分岐せずに下流側の補充環流硬貨分岐部41で分岐し、補充環流硬貨用シュート51を通じて硬貨カセットユニット64の補充環流硬貨収納部94に収納させる。このとき、補充環流硬貨収納部94の放出口94cは放出口シャッタ101によって既に閉塞されているため、補充環流硬貨収納部94に収納した初期補充硬貨は放出されることなく収納状態に保たれる。
【００６９】
硬貨識別部38での識別の結果、不適正と判断されたリジェクト硬貨は、第２分岐部43で分岐し、第２の振分シュート53の振分部57および補充リジェクト硬貨用シュート部59を通じて硬貨カセットユニット64の補充リジェクト硬貨収納部98に収納させる。
【００７０】
そして、硬貨識別部38で初期補充硬貨の識別が所定時間以上なくなれば、貯留繰出部18、硬貨通路29および搬送コンベヤ63の駆動を停止し、初期補充処理を完了する。
【００７１】
次に、入金処理について図８ないし図１１を参照して説明する。
【００７２】
操作者（顧客）が操作指令部202で入金を指令することにより、入出金口13の入出金口シャッタ12を開放し、さらに、操作者が入金硬貨を入出金口13を通じて硬貨受部14に投入することにより、硬貨受部14の受皿15上の入金硬貨を図示しないセンサで検知して入出金口シャッタ12を閉鎖する。貯留繰出部18および硬貨通路29の駆動を開始し、硬貨受部14の受皿15の回動によって投入された入金硬貨をシュート16に放出し、このシュート16を通じて貯留繰出部18に送り込む。硬貨受部14では入金硬貨の放出後に受皿15を戻して硬貨の受収を可能な状態とする。
【００７３】
図８に示すように、貯留繰出部18に送り込んだ入金硬貨は、貯留繰出部18から硬貨通路29に１枚ずつ送り込み、硬貨識別部38で識別する。
【００７４】
硬貨識別部38での識別の結果、正規の入金硬貨は金種別硬貨分岐部40a〜40fで金種別に分岐し、金種別シュート50a〜50fを通じて金種別硬貨一時保留部61a〜61fに金種別に一時保留する。金種別硬貨一時保留部61a〜61fでは、図３に示すように、保留枠67の底面を投出板68で閉塞しており、保留枠67に受け入れた入金硬貨を上下方向に重積状態で一時保留する。
【００７５】
制御部201では硬貨識別部38での識別結果から金種別硬貨一時保留部61a〜61fに一時保留する入金硬貨の枚数および金種別硬貨収納投出部62a〜62fに収納した硬貨収納枚数をカウントし、これらカウント値が予め設定された満杯量に達した金種については、それ以降に硬貨識別部38で識別される正規の入金硬貨をオーバーフロー硬貨として取り扱う。このオーバーフロー硬貨は、硬貨識別部38の直後のオーバーフロー硬貨分岐部39で分岐し、オーバーフロー硬貨用シュート49を通じて搬送コンベヤ63の受収コンベヤ域77に送り込み、一括して一時保留する。
【００７６】
硬貨識別部38での識別の結果、小径硬貨が識別された場合には、その小径硬貨は、硬貨識別部38の直後のオーバーフロー硬貨分岐部39で分岐し、オーバーフロー硬貨用シュート49を通じて搬送コンベヤ63の受収コンベヤ域77に送り込み、一括して一時保留する。搬送コンベヤ63にオーバーフロー硬貨が一時保留される場合にはこれらオーバーフロー硬貨と小径硬貨とが一緒に一時保留される。
【００７７】
硬貨識別部38での識別の結果、不適正と判断されたリジェクト硬貨は、硬貨通路29の第２の通路部32の末端まで搬送し、硬貨受部14に送り込む。このとき、硬貨受部14の受皿15はリジェクト硬貨を受収可能な状態にある。入出金口13の入出金口シャッタ12を開放し、操作者が硬貨受部14からリジェクト硬貨を取り出すことによって入出金口シャッタ12を閉鎖する。
【００７８】
そして、貯留繰出部18で硬貨を検知せず、硬貨識別部38で硬貨の識別が所定時間以上なくなり、かつ小径硬貨の識別がなかった場合には、貯留繰出部18および硬貨通路29を停止して入金送り込み動作を完了し、その後、入金硬貨の識別結果を操作者に対して表示し、入金の確認をとる。
【００７９】
また、貯留繰出部18で硬貨を検知せず、硬貨識別部38で硬貨の識別が所定時間以上なくなり、かつ小径硬貨の識別があった場合には、小径硬貨の排出動作を行った後、入金硬貨の識別結果を操作者に対して表示し、入金の確認をとる。
【００８０】
この小径硬貨の排出動作では、オーバーフロー硬貨がなかった場合の小径硬貨の第１の排出動作、オーバーフロー硬貨があった場合の小径硬貨の第２の排出動作、オーバーフロー硬貨およびリジェクト硬貨があった場合の小径硬貨の第３の排出動作がある。
【００８１】
オーバーフロー硬貨がなかった場合の小径硬貨の第１の排出動作では、図９に示すように、貯留繰出部18および硬貨通路29を停止した後、搬送コンベヤ63を駆動し、搬送コンベヤ63に一時保留していた小径硬貨を貯留繰出部18に送り込む。貯留繰出部18に送り込んだ小径硬貨は、ホッパ20の開閉部21を開放して異物用シュート22に放出し、異物用シュート22の振分部23を通じてシュート部24から異物返却口26に排出して操作者に返却する。小径硬貨の排出後に、搬送コンベヤ63を停止し、ホッパ20の開閉部21を閉鎖する。
【００８２】
オーバーフロー硬貨があった場合の小径硬貨の第２の排出動作では、図１０に示すように、貯留繰出部18、硬貨通路29、搬送コンベヤ63を駆動し、搬送コンベヤ63に一時保留していた小径硬貨を貯留繰出部18に送り込む。貯留繰出部18に送り込んだ硬貨は、貯留繰出部18から硬貨通路29に１枚ずつ送り込み、硬貨識別部38で識別する。識別の結果、オーバーフロー硬貨は硬貨通路29を通じて硬貨受部14に送り込んで一時保留し、小径硬貨は硬貨通路29のオーバーフロー硬貨分岐部39で分岐して搬送コンベヤ63に一時保留する。貯留繰出部18からの硬貨の繰り出しが完了した後、搬送コンベヤ63に一時保留した小径硬貨を貯留繰出部18へ送り込み、図９に示したように貯留繰出部18の開閉部21の開放および振分部23で切り換えられたシュート部24により異物返却口26から排出して操作者に返却する。小径硬貨の排出後に、搬送コンベヤ63を停止し、ホッパ20の開閉部21を閉鎖し、硬貨受部14に一時保留したオーバーフロー硬貨を貯留繰出部18へ送り込む。貯留繰出部18に送り込んだオーバーフロー硬貨は、貯留繰出部18から硬貨通路29に１枚ずつ送り込み、硬貨識別部38で識別し、オーバーフロー硬貨分岐部39で分岐して搬送コンベヤ63に一時保留する。
【００８３】
オーバーフロー硬貨およびリジェクト硬貨があった場合の小径硬貨の第３の排出動作では、オーバーフロー硬貨を硬貨受部14に送り込んで一時保留した状態で、小径硬貨を排除するまでは第２の排出動作と同じである。オーバーフロー硬貨を硬貨受部14に送り込むことにより、硬貨受部14に送り込まれていたリジェクト硬貨と一緒になるため、これらリジェクト硬貨とオーバーフロー硬貨との分離をする。この分離動作では、図１１に示すように、硬貨受部14で一緒なったリジェクト硬貨およびオーバーフロー硬貨を、貯留繰出部18へ送り込み、貯留繰出部18から硬貨通路29に１枚ずつ送り込み、硬貨識別部38で識別する。識別の結果、オーバーフロー硬貨はオーバーフロー硬貨分岐部39で分岐して搬送コンベヤ63に一時保留し、リジェクト硬貨は硬貨通路29を通じて硬貨受部14へ送り込んで操作者に返却する。
【００８４】
そして、操作者が操作指令部202によって入金承認の操作をした場合で、オーバーフロー硬貨がなかった場合には、金種別硬貨一時保留部61a〜61fの投出板68を後退位置（図３に示す位置より左方向に移動した位置）に移動させ、保留枠67の底面を開口させ、重積状態に一時保留させていた一時保留硬貨を金種別硬貨収納投出部62a〜62fの収納筒部71に収納する。
【００８５】
また、操作者が操作指令部202によって入金承認の操作をした場合で、オーバーフロー硬貨があった場合には、金種別硬貨一時保留部61a〜61fに一時保留していた一時保留硬貨は、上述したように投出板68の後退位置への移動によって金種別硬貨収納投出部62a〜62fの収納筒部71に収納する。
【００８６】
搬送コンベヤ63の受収コンベヤ域77に一括一時保留していたオーバーフロー硬貨は、貯留繰出部18、硬貨通路29および搬送コンベヤ63の駆動により、搬送コンベヤ63から貯留繰出部18を通じて硬貨通路29に送り込み、硬貨通路29の補充環流硬貨分岐部41で分岐し、補充環流硬貨用シュート51を通じて硬貨カセットユニット64の補充環流硬貨収納部94に収納する。
【００８７】
硬貨識別部38でオーバーフロー硬貨の識別が所定時間以上なくなれば、貯留繰出部18、硬貨通路29および搬送コンベヤ63を停止し、入金送り込み動作から入金収納動作までの一連の入金処理を完了する。
【００８８】
また、操作者が操作指令部202によって入金不承認の操作をした場合には、金種別硬貨一時保留部61a〜61fの保留枠67を搬送コンベヤ63の受収コンベヤ域77の上方の返却位置に移動させ、保留枠67に一時保留していた全ての硬貨を搬送コンベヤ63の受収コンベヤ域77に放出する。このとき、搬送コンベヤ63の受収コンベヤ域77にオーバーフロー硬貨を一時保留していた場合には、保留枠67から放出される硬貨と一緒になる。
【００８９】
搬送コンベヤ63の受収コンベヤ域77上の返却硬貨は、貯留繰出部18、硬貨通路29および搬送コンベヤ63の駆動により、搬送コンベヤ63から貯留繰出部18を通じて硬貨通路29に送り込み、硬貨通路29の末端まで搬送して硬貨受部14の受皿15に送り込む。全ての返却硬貨を硬貨受部14の受皿15に送り込んだら、貯留繰出部18、硬貨通路29および搬送コンベヤ63を停止し、入出金口13の入出金口シャッタ12を開放し、操作者が硬貨受部14の受皿15から返却硬貨を取り出すことによって入出金口シャッタ12を閉鎖する。これにより、入金送り込み動作から入金返却動作までの一連の処理を完了する。
【００９０】
次に、取忘れ硬貨回収処理について説明する。
【００９１】
入金処理時に入金返却硬貨やリジェクト硬貨を硬貨受部14に送り込み、または出金処理時に出金硬貨を硬貨受部14に送り込み、入出金口13の入出金口シャッタ12を開放した後、硬貨受部14から硬貨が取り出されないか、取り残しがあるまま、所定時間以上経過すれば、硬貨受部14の硬貨を取り忘れ硬貨として取り込む取忘れ硬貨回収処理を開始する。
【００９２】
この取忘れ硬貨回収処理では、入出金口シャッタ12を閉じ、貯留繰出部18および硬貨通路29の駆動を開始し、硬貨受部14の受皿15の回動によって取忘れ硬貨をシュート16に放出し、このシュート16を通じて貯留繰出部18に送り込む。硬貨受部14では取り忘れ硬貨の放出後に受皿15を戻して硬貨の受収を可能な状態とする。
【００９３】
貯留繰出部18に送り込んだ取忘れ硬貨は、貯留繰出部18から硬貨通路29に１枚ずつ送り込み、硬貨識別部38で識別した後、第１分岐部42で分岐し、第１の振分シュート52の振分部54および取忘れ硬貨用シュート56を通じて硬貨カセットユニット64の取忘れ硬貨収納部96に収納する。
【００９４】
そして、硬貨識別部38で取忘れ硬貨の識別が所定時間以上なくなれば、貯留繰出部18、硬貨通路29および搬送コンベヤ63を停止し、取忘れ硬貨回収処理を完了する。
【００９５】
次に、異物返却回収処理について参照して説明する。
【００９６】
入金処理時などにおいて、貯留繰出部18に入金硬貨を受け入れて繰り出し可能な入金硬貨を全て繰り出した後、繰り出すことができない変形硬貨や外国硬貨、入金硬貨とともに投入された例えばクリップなどを異物として貯留繰出部18から排除する異物返却回収処理を開始する。
【００９７】
この異物返却回収処理では、ホッパ20の開閉部21を開放してホッパ20内の異物を異物用シュート22に放出する。異物用シュート22に放出された異物は、振分部23を通じてシュート部24から異物返却口26に排出して返却するか、振分部23を通じてシュート部25から異物回収箱27に回収する。異物の排出後にホッパ20の開閉部21を閉鎖し、異物返却回収処理を完了する。
【００９８】
次に、出金処理について説明する。
【００９９】
操作者が操作指令部202によって出金貨幣値（金額または金種と枚数）を入力し、スタートを指令することにより、金種別硬貨収納投出部62a〜62fの出金金種に該当する収納筒部71において、収納されている重積硬貨を支承部材72によって上昇させ、収納筒部71の上部を閉塞する位置に位置される保留枠67の下面に重積硬貨を当接させ、往復移動させる投出板68によって最上位の重積硬貨つまり出金硬貨を収納筒部71から搬送コンベヤ63の受収コンベヤ域77上に投出する。続けて投出する金種がある場合には、同様に重積硬貨を上昇させ投出板68によって投出する。出金金種に該当しない金種および出金枚数分を投出し終えた金種については、重積硬貨を下降させ、硬貨の投出を停止する。
【０１００】
搬送コンベヤ63の受収コンベヤ域77上に投出された出金硬貨は、貯留繰出部18、硬貨通路29および搬送コンベヤ63の駆動により、搬送コンベヤ63から貯留繰出部18を通じて硬貨通路29に送り込み、硬貨識別部38で識別する。
【０１０１】
硬貨識別部38での識別の結果、正規の出金硬貨は硬貨通路29の第２の通路部32の末端まで搬送して硬貨受部14に送り込む。
【０１０２】
不適正と判断されたリジェクト硬貨は第２分岐部43で分岐し、第２の振分シュート53の振分部57および運用リジェクト硬貨用シュート部58を通じて硬貨カセットユニット64の運用リジェクト硬貨収納部97に収納させる。リジェクト硬貨が発生した場合には、出金貨幣値に不足する金種硬貨を金種別硬貨収納投出部62a〜62fから再投出させる。
【０１０３】
出金貨幣値分の出金硬貨を硬貨受部14に送り込んだら、貯留繰出部18、硬貨通路29および搬送コンベヤ63を停止し、入出金口13の入出金口シャッタ12を開放し、操作者が硬貨受部14の受皿15から出金硬貨を取り出すことによって入出金口シャッタ12を閉鎖する。これにより、出金処理を完了する。
【０１０４】
以上のように構成された循環式硬貨入出金機では、硬貨通路29に送り込まれて硬貨識別部38で識別された小径硬貨を、金種別硬貨分岐部40a〜40fの上流域のオーバーフロー硬貨分岐部39で分岐するので、小径硬貨が金種別硬貨分岐部40a〜40fで詰まったり、小径硬貨が金種別硬貨分岐部40a〜40fで誤って分岐されてしまうのを確実に防止できる。
【０１０５】
また、オーバーフロー硬貨分岐部39で分岐した小径硬貨を搬送コンベヤ63に一時保留し、貯留繰出部18からの硬貨の繰り出しが完了した後に一時保留した小径硬貨を貯留繰出部18へ送り込み、この貯留繰出部18から開放された開閉部21およびシュート部24を通じて異物返却口26に確実に排出できる。
【０１０６】
また、搬送コンベヤ63にオーバーフロー硬貨および小径硬貨を一時保留した場合、これら硬貨を搬送コンベヤ63で貯留繰出部18に送り込み、オーバーフロー硬貨は貯留繰出部18から硬貨通路29を通じて硬貨受部14に搬送し、小径硬貨は貯留繰出部18から硬貨通路29のオーバーフロー硬貨分岐部39で分岐して搬送コンベヤ63に一時保留するとともに貯留繰出部18からの硬貨の繰り出しが完了した後に一時保留した小径硬貨を貯留繰出部18へ送り込んで開放された開閉部21およびシュート部24を通じて異物返却口26に排出でき、そのため、小径硬貨の分岐にオーバーフロー硬貨分岐部39を兼用でき、小径硬貨とオーバーフロー硬貨とを分離して処理できる。
【０１０７】
さらに、リジェクト硬貨を硬貨通路29から硬貨受部14に搬送して一時保留するとともに、搬送コンベヤ63にオーバーフロー硬貨および小径硬貨を一時保留した場合、搬送コンベヤ63に一時保留した硬貨を貯留繰出部18に送り込み、オーバーフロー硬貨は貯留繰出部18から硬貨通路を通じて硬貨受部に搬送し、小径硬貨は貯留繰出部18から硬貨通路29のオーバーフロー硬貨分岐部39で分岐して搬送コンベヤ63に一時保留するとともに貯留繰出部18からの硬貨の繰り出しが完了した後に一時保留した小径硬貨を貯留繰出部18へ送り込んで開放された開閉部21およびシュート部24を通じて異物返却口26に排出させ、硬貨受部14で一緒になったオーバーフロー硬貨およびリジェクト硬貨を貯留繰出部18に放出し、リジェクト硬貨は貯留繰出部18から硬貨通路29を通じて硬貨受部14に搬送して一時保留し、オーバーフロー硬貨は貯留繰出部18から硬貨通路29のオーバーフロー硬貨分岐部39で分岐して搬送コンベヤ63に一時保留させることができ、小径硬貨とオーバーフロー硬貨とリジェクト硬貨とを分離して処理できる。
【０１０８】
また、小径硬貨の直径の基準を処理対象とする最小径硬貨の直径の９割以下の寸法とするので、硬貨通路29での搬送や金種別硬貨分岐部40a〜40fなどの通過に適さない小径硬貨を硬貨通路29から分岐させ、硬貨通路29での不具合の発生を確実に防止できる。
【図面の簡単な説明】
【０１０９】
【図１】本発明の硬貨処理装置の一実施の形態を示す循環式硬貨入出金機の概略右側面図である。
【図２】同上循環式硬貨入出金機の概略背面図である。
【図３】同上図１のＡ−Ａ矢視の断面図である。
【図４】同上循環式硬貨入出金機の硬貨通路および金種別硬貨分岐部群の斜視図である。
【図５】同上硬貨通路、各分岐部および各シュートの模式図である。
【図６】同上循環式硬貨入出金機の硬貨カセットユニットの平面図である。
【図７】同上循環式硬貨入出金機の制御部のブロック図である。
【図８】同上循環式硬貨入出金機の入金処理時の説明図である。
【図９】同上循環式硬貨入出金機の入金処理時における小径硬貨返却を示す説明図である。
【図１０】同上循環式硬貨入出金機の入金処理時における小径硬貨とオーバーフロー硬貨との分離動作を示す説明図である。
【図１１】同上循環式硬貨入出金機の入金処理時におけるリジェクト硬貨とオーバーフロー硬貨との分離動作を示す説明図である。
【符号の説明】
【０１１０】
14    硬貨受部
18    貯留繰出部
21    放出手段としての開閉部
24    排出手段としてのシュート部
29    硬貨通路
38    硬貨識別部
39    小径硬貨分岐部としてのオーバーフロー硬貨分岐部
40a〜40f    金種別硬貨分岐部
61a〜61f    金種別硬貨一時保留部
63    搬送コンベヤ
201   制御部
【図１】
2006209346.tif 000003
【図２】
2006209346.tif 000004
【図３】
2006209346.tif 000005
【図４】
2006209346.tif 000006
【図５】
2006209346.tif 000007
【図６】
2006209346.tif 000008
【図７】
2006209346.tif 000009
【図８】
2006209346.tif 000010
【図９】
2006209346.tif 000011
【図１０】
2006209346.tif 000012
【図１１】
2006209346.tif 000013